(57)【要約】【課題】タッチパネル操作および指紋センサ操作を組み合わせた操作を検知できる電子機器を実現する。【解決手段】少なくとも一部に切欠き部（４１）が形成されている表示部（４０）と、表示部（４０）に重畳されたタッチパネル（２０）と、切欠き部（４１）に嵌るように配置された接触センサ（１０）と、制御部（５０）と、を備え、制御部（５０）は、所定時間以内に、タッチパネル（２０）に対する第１のタッチ操作および接触センサ（１０）に対する第２のタッチ操作が検知された場合に、第１のタッチ操作に対応する第１の処理、および第２のタッチ操作に対応する第２の処理のそれぞれを実行せず、第１のタッチ操作および第２のタッチ操作の一組で１つの操作となる組み合わせ操作であると判定し、組み合わせ操作に対応する第３の処理を実行することを特徴とする電子機器（１）。【選択図】図１
2020057218.tif 000002
【特許請求の範囲】
【請求項１】
周縁領域の少なくとも一部に切欠き部が形成されている表示部と、
前記表示部に重畳されたタッチパネルと、
前記切欠き部に嵌るように配置された接触センサと、
制御部と、を備え、
前記制御部は、
所定時間以内に、前記タッチパネルに対する第１のタッチ操作および前記接触センサに対する第２のタッチ操作が検知された場合に、
前記第１のタッチ操作に対応する第１の処理、および前記第２のタッチ操作に対応する第２の処理のそれぞれを実行しないとともに、
前記第１のタッチ操作および前記第２のタッチ操作の一組で１つの操作となる組み合わせ操作であると判定し、前記組み合わせ操作に対応する第３の処理を実行することを特徴とする電子機器。
【請求項２】
前記切欠き部の内部には、前記接触センサの一部が配され、
前記タッチパネルにおける、前記切欠き部の両側の表示領域のそれぞれに対応する領域には、第１のスライド操作を検知する側部領域が形成され、
前記制御部は、所定時間以内に、２つの前記側部領域の少なくともいずれか一方に対する前記第１のスライド操作、および前記接触センサに対する第２のスライド操作が検知された場合に、前記第１の処理および前記第２の処理のそれぞれを実行しないとともに、前記第３の処理を実行することを特徴とする請求項１に記載の電子機器。
【請求項３】
前記切欠き部は、前記周縁領域のうち、前記電子機器の筐体における短手側の端部に対応する短手側周縁領域に形成され、
前記接触センサは、前記短手側周縁領域の延伸方向に沿って延伸していることを特徴とする請求項２に記載の電子機器。
【請求項４】
前記制御部は、前記第１のタッチ操作と前記第２のタッチ操作とが同時に検知された場合に、前記第１の処理および前記第２の処理のそれぞれを実行しないとともに、前記第３の処理を実行することを特徴とする請求項１に記載の電子機器。
【請求項５】
前記接触センサが、指紋センサであることを特徴とする請求項１から４のいずれか１項に記載の電子機器。
【請求項６】
前記制御部は、前記第１のタッチ操作または前記第２のタッチ操作のいずれか一方が検知された後、当該一方のタッチ操作の検知時から前記所定時間が経過した場合に、検知されたタッチ操作に対応する、前記第１の処理または前記第２の処理のいずれか一方を実行することを特徴とする請求項１から５のいずれか１項に記載の電子機器。
【請求項７】
周縁領域の少なくとも一部に切欠き部が形成されている表示部と、
前記表示部に重畳されたタッチパネルと、
前記切欠き部に嵌るように配置された接触センサと、を備える電子機器を制御するための制御装置であって、
前記制御装置は、
所定時間以内に、前記タッチパネルに対する第１のタッチ操作および前記接触センサに対する第２のタッチ操作が検知された場合に、
前記第１のタッチ操作に対応する第１の処理、および前記第２のタッチ操作に対応する第２の処理のそれぞれを実行しないとともに、
前記第１のタッチ操作および前記第２のタッチ操作の一組で１つの操作となる組み合わせ操作であると判定し、前記組み合わせ操作に対応する第３の処理を実行する処理部を備えていることを特徴とする制御装置。
【請求項８】
周縁領域の少なくとも一部に切欠き部が形成されている表示部と、
前記表示部に重畳されたタッチパネルと、
前記切欠き部に嵌るように配置された接触センサと、を備える電子機器を制御するための制御方法であって、
所定時間以内に、前記タッチパネルに対する第１のタッチ操作および前記接触センサに対する第２のタッチ操作が検知された場合に、
前記第１のタッチ操作に対応する第１の処理、および前記第２のタッチ操作に対応する第２の処理のそれぞれを実行しないとともに、
前記第１のタッチ操作および前記第２のタッチ操作の一組で１つの操作となる組み合わせ操作であると判定し、前記組み合わせ操作に対応する第３の処理を実行する処理ステップを含んでいることを特徴とする制御方法。
【請求項９】
請求項１に記載の電子機器における制御部としてコンピュータを機能させるための制御プログラム。
【発明の詳細な説明】
【技術分野】
【０００１】
本発明は、電子機器、制御装置、制御方法、および制御プログラムに関する。
【背景技術】
【０００２】
スマートフォン等の電子機器は、ユーザの個人情報等の機密情報を適切に保護する観点から、指紋センサ等による生体認証技術が実装されてきている。また、前記指紋センサ等による生体認証のためにユーザが逐一煩わしい操作を行う必要がないように、前記電子機器における前記指紋センサ等の実装態様が工夫されている。さらに、前記指紋センサに、ユーザの指紋を検知する機能と共に、ユーザによるタッチ操作を検知する機能を持たせることで、前記指紋センサによる多様な操作を可能とする方法が提案されている。
【０００３】
例えば、特許文献１には、起動時または操作時に、現行動作に新たな動作を追加することなく自動で、操作の簡便性と機密保持を両立させて、バイオメトリック認証を用いてセキュリティ管理を行うことができる情報処理装置が開示されている。
【先行技術文献】
【特許文献】
【０００４】
【特許文献１】特開２０１３−１４０４４０号公報
【発明の概要】
【発明が解決しようとする課題】
【０００５】
しかしながら、特許文献１に記載の情報処理装置は、タッチパネル操作（例えば、スワイプ操作）に対応する操作体（ユーザの指等）の軌跡の延長線上に前記指紋センサが搭載されているものの、例えばタッチパネル操作と指紋センサ操作とを連続的に検知することにより、タッチパネル操作および指紋センサのそれぞれに対応する個別の処理とは異なる特定の処理を実行するものではない。
【０００６】
本発明の一態様は、タッチパネル操作と指紋センサ操作とを所定条件下で検知することにより、特定の処理を実行できる電子機器を実現することを目的とする。
【課題を解決するための手段】
【０００７】
前記の課題を解決するために、本発明の一態様に係る電子機器は、周縁領域の少なくとも一部に切欠き部が形成されている表示部と、前記表示部に重畳されたタッチパネルと、前記切欠き部に嵌るように配置された接触センサと、制御部と、を備え、前記制御部は、所定時間以内に、前記タッチパネルに対する第１のタッチ操作および前記接触センサに対する第２のタッチ操作が検知された場合に、前記第１のタッチ操作に対応する第１の処理、および前記第２のタッチ操作に対応する第２の処理のそれぞれを実行しないとともに、前記第１のタッチ操作および前記第２のタッチ操作の一組で１つの操作となる組み合わせ操作であると判定し、前記組み合わせ操作に対応する第３の処理を実行する。
【０００８】
前記の課題を解決するために、本発明の一態様に係る制御装置は、周縁領域の少なくとも一部に切欠き部が形成されている表示部と、前記表示部に重畳されたタッチパネルと、前記切欠き部に嵌るように配置された接触センサと、を備える電子機器を制御するための制御装置であって、前記制御装置は、所定時間以内に、前記タッチパネルに対する第１のタッチ操作および前記接触センサに対する第２のタッチ操作が検知された場合に、前記第１のタッチ操作に対応する第１の処理、および前記第２のタッチ操作に対応する第２の処理のそれぞれを実行しないとともに、前記第１のタッチ操作および前記第２のタッチ操作の一組で１つの操作となる組み合わせ操作であると判定し、前記組み合わせ操作に対応する第３の処理を実行する処理部を備えている。
【０００９】
前記の課題を解決するために、本発明の一態様に係る制御方法は、周縁領域の少なくとも一部に切欠き部が形成されている表示部と、前記表示部に重畳されたタッチパネルと、前記切欠き部に嵌るように配置された接触センサと、を備える電子機器を制御するための制御方法であって、所定時間以内に、前記タッチパネルに対する第１のタッチ操作および前記接触センサに対する第２のタッチ操作が検知された場合に、前記第１のタッチ操作に対応する第１の処理、および前記第２のタッチ操作に対応する第２の処理のそれぞれを実行しないとともに、前記第１のタッチ操作および前記第２のタッチ操作の一組で１つの操作となる組み合わせ操作であると判定し、前記組み合わせ操作に対応する第３の処理を実行する処理ステップを含んでいる。
【発明の効果】
【００１０】
本発明の一態様によれば、組み合わせ操作と判定した場合に、当該組み合わせ操作に対応する特定の処理（第３の処理）をユーザの意図通りに実行する電子機器を実現することができる。
【図面の簡単な説明】
【００１１】
【図１】（ａ）は本発明の一実施形態に係るスマートフォンを模式的に示す図であり、（ｂ）は前記スマートフォンの操作方法の一例を模式的に示す図である。
【図２】前記スマートフォンの機能ブロック構成を示す図である。
【図３】前記スマートフォンが備える制御部による処理の流れの一例を示すフローチャートである。
【図４】前記スマートフォンの操作により実行される処理の変形例を模式的に示す図である。
【発明を実施するための形態】
【００１２】
〔スマートフォンの概要〕
図１の（ａ）は本発明の一実施形態に係るスマートフォン（電子機器）１を模式的に示す図であり、（ｂ）はスマートフォン１の操作方法の一例を模式的に示す図である。図１の（ａ）に示すように、スマートフォン１は、指紋センサ（接触センサ）１０および表示部４０を備える。
【００１３】
表示部４０には、切欠き部４１が形成される。切欠き部４１は、表示部４０における周縁領域Ａａのうち、スマートフォン１の筐体における短手側の両端部に対応する短手側周縁領域Ａｓの一方に形成され、短手側周縁領域Ａｓにおける、切欠き部４１の形成箇所以外の領域には、表示部４０の一部が切欠き部４１を挟み込むように配される。言い換えれば、指紋センサ１０は、切欠き部４１に嵌まるように、切欠き部４１の内部に指紋センサ１０の一部が配置される。
【００１４】
また、表示部４０には、タッチパネル２０が重畳されている。具体的には、タッチパネル２０が、表示部４０における前記筐体の内部側に配置されている。さらに、タッチパネル２０における、切欠き部４１の両側の表示領域Ａｌ・Ａｒ（図１の（ｂ）参照）のそれぞれに対応する領域には、タッチパネル２０に対するスワイプ操作（第１のスライド操作）を検知する側部領域が形成されている。
【００１５】
前記構成によれば、ユーザによって、片手でスマートフォン１を把持された状態により、短手側周縁領域Ａｓに配された指紋センサ１０に対する操作が行われることが容易となる。なお、切欠き部４１は、短手側周縁領域Ａｓに形成される必要はなく、前記周縁領域におけるいかなる位置に形成されてもよい。切欠き部４１は、例えば、スマートフォン１の筐体における長手側の端部に対応する長手側周縁領域に形成されてもよい。
【００１６】
指紋センサ１０は、ユーザの指紋を検知すると共に、ユーザによるタッチ操作（第１のタッチ操作）を検知する。ここで、タッチ操作とは、ユーザの指等により指紋センサ１０に接触するあらゆる操作を示す。このような操作として、例えば、タップ、長押し、フリック、スワイプ、およびピンチなどの操作が挙げられる。なお、本明細書では、フリックおよびスワイプを包括して「スライド操作」と称する。また、タッチパネル２０は、指紋センサ１０と同様に、ユーザによるタッチ操作を検知する。なお、前記タッチ操作はユーザによるタッチ操作に限られず、いかなる操作体によるタッチ操作であってもよい。
【００１７】
指紋センサ１０は、表示部４０に形成された切欠き部４１に嵌るように配置されているため、指紋センサ１０の一部と表示部４０の一部とが隣接した配置態様になっている。ここで、「表示部４０の一部」とは、切欠き部４１が形成される側の短手側周縁領域Ａｓを指す。
【００１８】
そのため、図１の（ｂ）に示すように、前記表示部４０の一部のうち、タッチパネル２０における２つの側部領域の一方に対応する表示領域Ａｌから、指紋センサ１０を通過して、前記側部領域の他方に対応する表示領域Ａｒまで、連続的にスライド操作を行うことが可能となる。同様に、表示領域Ａｒから指紋センサ１０を通過して表示領域Ａｌまで、連続的にスライド操作を行うことが可能となる。
【００１９】
指紋センサ１０は、表示部４０における前記短手側周縁領域の延伸方向に沿って延伸する、角丸略長方形状である。このような構成によれば、指紋センサ１０に対して行われる、前記短手側周縁領域の延伸方向へのスライド操作が容易に検知可能となる。換言すれば、例えば、指紋センサ１０に対するタップ操作と前記スライド操作との区別が正確に検知可能となる。そのため、前記のように表示領域Ａｌから表示領域Ａｒまで、指紋センサ１０を含む態様によりスライド操作を行った場合に、タッチパネル２０および指紋センサ１０は、これら一連のスライド操作をより正確に検知できる。
【００２０】
なお、指紋センサ１０は、前記角丸略長方形状に限られず、いかなる形状であってもよい。例えば、角丸ではない略矩形状であってもよく、略円形であってもよく、その他のいかなる形状であってもよい。
【００２１】
また、指紋センサ１０は、指紋センサ機能を備えない、単なるタッチセンサであってもよい。また、前記タッチセンサは、スライド操作等を検知する機能を持たない、接触の有無のみ検知できるものであってもよい。このような構成によれば、スマートフォン１等の本発明に係る電子機器が要求する機能に応じて、安価なタッチセンサを搭載することが可能となる。
【００２２】
本発明の一実施態様は、前記のようなタッチパネル２０の側部領域等に対するスライド操作および指紋センサ１０に対するタッチ操作の組み合わせ操作を検知し、このような組み合わせ操作に対応する処理を実行できるスマートフォン１である。前記の組み合わせ操作の定義、および組み合わせ操作に対応する処理の例については後述する。
【００２３】
なお、タッチパネル２０の側部領域は、スワイプ操作以外のスライド操作、あるいはタッチ操作を検知するものであってもよい。例えば側部領域は、スライド操作に代えて、あるいはスライド操作に加えてタップ操作等を検知してもよい。
〔スマートフォンの機能的構成〕
図２はスマートフォン１の機能ブロック構成を示す図である。スマートフォン１は、その内部に記憶部３０および制御部（制御装置）５０を備える。
【００２４】
記憶部３０は、スマートフォン１に搭載される各種アプリ、設定情報、ユーザからの入力情報等を記憶する。記憶部３０は、例えばＨＤＤ（Hard Disk Drive）、ＳＳＤ（Solid State Drive）、またはＲＯＭ（Read Only Memory）である。
【００２５】
制御部５０は、例えばＣＰＵ（Central Processing Unit）であり、スマートフォン１の各部を統括して制御する制御装置として機能する。制御部５０は、指紋センサ操作検出部５１、タッチパネル操作検出部５２、組み合わせ操作判定部５３、アプリ実行部５４、および表示制御部５５を含む。
【００２６】
指紋センサ操作検出部５１は、指紋センサ１０へのユーザの指等の接触（第２のタッチ操作）を検知する。このとき、指紋センサ操作検出部５１は、指紋センサ１０への接触から指紋が読み取れるか否かを判定する。また、指紋センサ操作検出部５１は、前記第２のタッチ操作の種類、および指紋センサ１０における前記第２のタッチ操作が行われた位置等の情報をまとめて、組み合わせ操作判定部５３に出力する。
【００２７】
タッチパネル操作検出部５２は、タッチパネル２０へのユーザの指等の接触（第１のタッチ操作）を検知する。このとき、タッチパネル操作検出部５２は、前記第１のタッチ操作の種類、およびタッチパネル２０における前記第１のタッチ操作が行われた位置等の情報をまとめて、組み合わせ操作判定部５３に出力する。
【００２８】
組み合わせ操作判定部（処理部）５３は、指紋センサ操作検出部５１およびタッチパネル操作検出部５２からそれぞれ、前記第１および第２のタッチ操作の種類等の情報を取得する。ここで、組み合わせ操作判定部５３は、前記第１および第２のタッチ操作についての情報が、所定時間以内に取得されたか否かを判定する。換言すれば、組み合わせ操作判定部５３は、前記第１および第２のタッチ操作が前記所定時間以内に行われたか否かを判定する。
【００２９】
組み合わせ操作判定部５３は、前記第１および第２のタッチ操作が前記所定時間以内に行われたと判定した場合、前記第１および第２のタッチ操作は、一組で１つの操作となる組み合わせ操作であると判定する。一方、前記第１および第２のタッチ操作が前記所定時間以内に行われなかったと判定した場合、前記第１および第２のタッチ操作は、前記組み合わせ操作ではなく、それぞれ個別のタッチ操作であると判定する。
【００３０】
組み合わせ操作判定部５３は、前記第１および第２のタッチ操作の種類等の情報と、これらの操作が組み合わせ操作であるか否かの判定結果を、アプリ実行部に出力する。
【００３１】
アプリ実行部（処理部）５４は、前記組み合わせ操作であるとの判定結果を取得した場合は、前記第１および第２のタッチ操作の組み合わせ操作に対応した処理（第３の処理）を実行する。一方、前記個別のタッチ操作であるとの判定結果を取得した場合は、前記第１のタッチ操作に対応する処理（第１の処理）および前記第２のタッチ操作に対応する処理（第２の処理）のそれぞれを実行する。なお、アプリ実行部５４は、前記組み合わせ操作であるとの判定結果を取得した場合は、前記第３の処理のみを実行し、前記第１および第２の処理は実行しない。
【００３２】
このような構成によれば、アプリ実行部５４は、前記組み合わせ操作と判定した場合は前記個別のタッチ操作に対応する処理を行わず、組み合わせ操作に対応する処理のみを実行することができる。すなわち、ユーザは、意図通りに前記組み合わせ操作および前記個別のタッチ操作を使い分けることができる。
【００３３】
表示制御部５５は、アプリ実行部５４の処理に基づき、表示部４０に表示される内容を略リアルタイムに更新する。
【００３４】
上述したように、制御部５０は、前記所定時間以内に、前記第１のタッチ操作および前記第２のタッチ操作が検知された場合に、前記第１の処理および前記第２の処理のそれぞれを実行しないとともに、前記第１のタッチ操作および前記第２のタッチ操作の一組で１つの操作となる組み合わせ操作であると判定し、前記組み合わせ操作に対応する第３の処理を実行する。
【００３５】
また、制御部５０は、前記第１のタッチ操作または前記第２のタッチ操作のいずれか一方が検知された後、当該一方のタッチ操作の検知時から前記所定時間が経過した場合に、検知されたタッチ操作に対応する、前記第１の処理または前記第２の処理のいずれか一方を実行する。
【００３６】
なお、前記所定時間とは、前記第１および第２のタッチ操作の内、先に実行されたタッチ操作を検知した時点からの所定の時間であってもよい。また、前記第１および第２のタッチ操作とは独立して、制御部５０により連続的に計測される、所定の時間フレームの一つであってもよい。前記所定時間は、例えば、０．１秒であってもよく、０．５秒であってもよく、１秒であってもよい。前記所定時間が短いほど、個別のタッチ操作を検知しやすくなり、前記所定時間が長いほど、前記組み合わせ操作を検知しやすくなる。
【００３７】
また、前記組み合わせ操作は、単一の前記第１のタッチ操作および単一の前記第２のタッチ操作のみ含むものである必要はなく、いずれか一方または両方のタッチ操作が複数回含まれるものであってもよい。このような構成によれば、スマートフォン１は、様々なタッチ操作の組み合わせからなる多様な組み合わせ操作を検知することができるため、多様な処理をアプリ実行部５４に行わせることができる。
【００３８】
また、前記組み合わせ操作に含まれる前記第１および第２のタッチ操作は、同時に行われたものであってもよい。このような場合として、例えば、ユーザの指が指紋センサ１０およびタッチパネル２０の境界に接触し、指紋センサ１０およびタッチパネル２０が同時にタップ操作を検知した場合が挙げられる。または、ユーザが２本指で指紋センサ１０およびタッチパネル２０の各々に対して同時にスワイプ操作等を行った場合が挙げられる。
【００３９】
すなわち、制御部５０は、前記第１のタッチ操作と前記第２のタッチ操作とが同時に検知された場合に、前記第１の処理および前記第２の処理のそれぞれを実行しないとともに、前記第３の処理を実行することができる。
【００４０】
このような構成によれば、ユーザは素早く組み合わせ操作を行うことができる。また、スマートフォン１は、より多様な組み合わせ操作を検知することができるため、より多様な処理をアプリ実行部５４に行わせることができる。
【００４１】
〔処理例〕
（概要）
図１を参照して、スマートフォン１が備える制御部５０による処理の概要を説明する。図１の（ａ）および（ｂ）に示すように、ユーザによって、前記所定時間内に、表示領域Ａｌから指紋センサ１０を通過して表示領域Ａｒまで、一連の右スワイプ操作が行われた場合、制御部５０は、前記一連の右スワイプ操作は組み合わせ操作であると判定する。
【００４２】
この場合、制御部５０は、表示領域Ａｌ・Ａｒおよび指紋センサ１０のそれぞれに対する右スワイプ操作に対応した処理は行わず、前記一連の右スワイプ操作による組み合わせ操作に対応した処理のみを行う。
【００４３】
例えば、表示部４０に任意のアプリケーション（以下、「アプリ」という）の画像が表示されている状態で、表示領域ＡｌまたはＡｒに対する右スワイプ操作が個別に行われた場合、制御部５０は、前記アプリの画像を異なる画像に切り換える処理を行う。前記異なる画像は、同一のアプリ内の異なる画像でもよく、異なるアプリの画像でもよい。また、指紋センサ１０に対する右スワイプ操作が個別に行われた場合、制御部５０は、前記アプリの画像をオーバービュー画像に切り替える処理を行う。なお、オーバービュー画像は、スマートフォン１が現在バックグラウンド起動中のアプリの一覧を表示する画像である。
【００４４】
一方、前記一連の右スワイプ操作が行われた場合、制御部５０は、前記異なる画像に切り替える処理または前記オーバービュー画像に切り替える処理は行わず、前記アプリの画像を画面ＢＯＴＴＯＭ（前記画像の下部）方向にスクロールする処理のみを行う。
【００４５】
このような構成によれば、制御部５０は、前記個別の操作および前記組み合わせ操作を正しく区別して検知し、ユーザの意図通りの処理をスマートフォン１に行わせることができる。
【００４６】
（処理の流れ）
図３は、スマートフォン１が備える制御部５０による処理（制御方法）の流れの一例を示すフローチャートである。図３に示すように、まず、組み合わせ操作判定部５３は、タッチパネル操作検出部５２によって表示領域Ａｌに対応する側部領域（以下、「第１の側部領域」とする）への右スワイプ操作（第１のスライド操作）が検知されたか否かを判定する（Ｓ１）。組み合わせ操作判定部５３は、タッチパネル操作検出部５２によって第１の側部領域へのいかなるタッチ操作も検知されなかった場合（Ｓ１でＮＯ（タッチ未検出））、前記タッチ操作を検知するまで処理ステップＳ１の判定を繰り返す。
【００４７】
また、組み合わせ操作判定部５３は、タッチパネル操作検出部５２によって第１の側部領域への右スワイプ操作以外のタッチ操作（例えば、タップ操作等）が検知された場合（Ｓ１でＮＯ（その他の操作））、当該右スワイプ操作以外のタッチ操作の情報（操作の種類、タッチパネル２０における位置等）をアプリ実行部５４に出力し、アプリ実行部５４は、当該情報に対応した処理を実行する（Ｓ２）。
【００４８】
なお、本例示において、スマートフォン１は、予め、右スワイプ以外のタッチパネル２０へのタッチ操作は、組み合わせ操作に含まれないよう設定されている。このように、特定のタッチ操作のみが組み合わせ操作に含まれるように、または特定のタッチ操作のみが組み合わせ操作に含まれないように設定できる構成によれば、組み合わせ操作判定部５３が、ユーザの意図に反して組み合わせ操作であると判定してしまうことを防止できる。
【００４９】
一方、組み合わせ操作判定部５３は、タッチパネル操作検出部５２によって第１の側部領域への右スワイプ操作が検知された場合（Ｓ１でＹＥＳ）、当該右スワイプ操作についての情報（右スワイプであること、タッチパネル２０における位置等）を取得してから、所定時間以内に、指紋センサ操作検出部５１によって指紋センサ１０への右スワイプ操作（第２のスライド操作）が検知されるか否かを判定する（Ｓ３）。
【００５０】
組み合わせ操作判定部５３は、前記所定時間以内に指紋センサ操作検出部５１によって指紋センサ１０への右スワイプ操作が検知されなかった場合（Ｓ３でＮＯ）、第１の側部領域への右スワイプ操作は組み合わせ操作ではないと判定する。そして、第１の側部領域への右スワイプ操作についての情報および前記判定結果を、アプリ実行部５４に出力する。アプリ実行部５４は、前記情報および前記判定結果に基づき、第１の側部領域への右スワイプ操作に対応した処理を実行する（Ｓ４）。
【００５１】
一方、組み合わせ操作判定部５３は、前記所定時間以内に、指紋センサ操作検出部５１によって指紋センサ１０への右スワイプ操作が検知された場合（Ｓ３でＹＥＳ）、第１の側部領域および指紋センサ１０への右スワイプ操作は、一組で１つの組み合わせとなる組み合わせ操作であると判定する。組み合わせ操作判定部５３は、第１の側部領域および指紋センサ１０への右スワイプ操作の情報、並びに前記組み合わせ操作であるとの判定結果を、アプリ実行部５４に出力する。
【００５２】
アプリ実行部５４は、前記組み合わせ操作であるとの判定結果に基づき、第１の側部領域および指紋センサ１０への右スワイプ操作のそれぞれに対応する個別の処理を実行しない（Ｓ５）。
【００５３】
次に、組み合わせ操作判定部５３は、前記所定時間以内に、さらにタッチパネル操作検出部５２によって表示領域Ａｒに対応する側部領域（以下、「第２の側部領域」とする）への右スワイプ操作が検知されるか否かを判定する（Ｓ６）。ここで、第２の側部領域への右スワイプ操作が検知されなかった場合（Ｓ６でＮＯ）、アプリ実行部５４は、第１の側部領域および指紋センサ１０への右スワイプ操作の一組で１つの組み合わせとなる組み合わせ操作に対応した処理を実行する（Ｓ７）。
【００５４】
一方、組み合わせ操作判定部５３は、前記所定時間以内に、さらにタッチパネル操作検出部５２によって第２の側部領域への右スワイプ操作が検知された場合（Ｓ６でＹＥＳ）、表示領域Ａｌから指紋センサ１０を通過して表示領域Ａｒまでの一連の右スワイプ操作は、一組で１つの組み合わせとなる組み合わせ操作であると判定する。組み合わせ操作判定部５３は、前記一連の右スワイプ操作の情報、並びに前記組み合わせ操作であるとの判定結果を、アプリ実行部５４に出力する。
【００５５】
アプリ実行部５４は、前記一連の右スワイプ操作の一組で１つの組み合わせとなる組み合わせ操作に対応した処理を実行する（Ｓ８）。なお、この場合は、表示領域Ａｌおよび指紋センサ１０への右スワイプ操作の一組で１つの組み合わせとなる組み合わせ操作に対応した処理ついては、実行されない。
【００５６】
このような処理を行うことによって、前記所定時間以内に表示領域Ａｌから表示領域Ａｒまで、指紋センサ１０を含む右スワイプ操作が行われた場合に、スマートフォン１は、個別の右スワイプ操作に対応した処理を実行せず、１つの組み合わせ操作であると判定し、当該組み合わせ操作に対応した処理のみを実行することができる。すなわち、ユーザが、組み合わせ操作を意図してスマートフォン１を操作した場合に、意図しない処理が実行されることを抑制できる。
【００５７】
なお、このような、右スワイプ操作が含まれる前記組み合わせ操作に対応した処理は、例えば、表示部４０に表示された表示画像について、画面ＢＯＴＴＯＭ（表示画像の下部）方向へのスクロールを行う処理であってもよい。なお、表示部４０に表示された「表示画像」には、例えば、ウェブブラウザも含まれ、前記の「スクロール」には、前記ウェブブラウザのスクロールも含まれる。
【００５８】
また、前記組み合わせ操作は、表示領域Ａｌから表示領域Ａｒまでの、指紋センサ１０を含む態様による右スワイプ操作として説明した。しかし、組み合わせ操作はこれに限られず、前記所定時間以内に行われ、タッチパネル２０および指紋センサ１０の両方に対するタッチ操作を含むものであれば、いかなる操作であってもよい。
【００５９】
例えば、組み合わせ操作の起点が表示領域Ａｌではなく表示領域Ａｒであり、表示領域Ａｒから表示領域Ａｌまでの、指紋センサ１０を含む態様による左スワイプ操作であってもよい。このような、左スワイプ操作が含まれる前記組み合わせ操作に対応した処理は、例えば、表示部４０に表示された表示画像について、画面ＴＯＰ（表示画像の上部）方向へのスクロールを行う処理であってもよい。なお、前記の「表示画像」にウェブブラウザも含まれ、前記の「スクロール」には、前記ウェブブラウザのスクロールも含まれる点については、上述した通りである。
【００６０】
また、組み合わせ操作は、タッチパネル２０における、表示領域Ａｌおよび表示領域Ａｒを含むいかなる領域に対するタッチ操作が含まれていてもよい。また、組み合わせ操作は、タップ操作およびスワイプ操作が組み合わされる操作であってもよく、タップ操作が連続的に組み合わされる操作であってもよい。
【００６１】
このような構成によれば、スマートフォン１は、前記所定時間以内であれば、いかなるタッチ操作が、いかなる順番により行われても、組み合わせ操作として判定できる。そのため、スマートフォン１は、多様なバリエーションの組み合わせ操作を受け付け、これらの組み合わせ操作に対応する多様な処理を行うことができる。
【００６２】
〔変形例〕
図１および図４を参照して、本実施形態の変形例について説明する。図４は、スマートフォン１の操作により実行される処理の変形例を模式的に示す図である。図１および図４に示すように、表示部４０にホーム画像４０１が表示されているスマートフォン１は、ユーザによる指紋センサ１０への右スワイプ操作を検知した場合、表示をオーバービュー画像４０２に切り替える処理を行う。
【００６３】
この時、ユーザが指紋センサ１０への右スワイプ操作を継続し、タッチパネル２０まで連続的に右スワイプ操作を行った場合、スマートフォン１は、指紋センサ１０およびタッチパネル２０に対する一連の右スワイプ操作の組み合わせ操作であると判定する。そして、前記組み合わせ操作に対応した処理として、制御部５０は、ホームボタン１００をスクロールバー１０１に変化させる。ユーザは、スクロールバー１０１に対してスライド操作を行うことにより、オーバービュー画像４０２に表示されているそれぞれのアプリ表示を、スクロール画像４０３Ａの短手方向に、左右に順次スクロールさせることができる（スクロール画像４０３Ａ）。
【００６４】
スクロール画像４０３Ａにおいて、ユーザが目的のアプリ表示に到達した状態で（スクロール画像４０３Ｂ）、ユーザがタッチパネル２０から指を離したら、スマートフォン１は、前記目的のアプリをアクティブにし、アプリ画像４０４を表示する。
【００６５】
ここで、指紋センサ１０およびタッチパネル２０への右スワイプ操作を含む組み合わせ操作によって実現される、オーバービュー画像４０２の表示処理およびアプリ一覧のスクロール処理は、ホームボタン１００が備える機能をエミュレートするものである。
【００６６】
このように、スマートフォン１により実現される組み合わせ操作は、スマートフォン１に内蔵されたアプリが備える機能をエミュレートして実行させるものであってもよい。このような構成によれば、ユーザは、指紋センサ１０周辺のスワイプ操作のみの、指を大きく動かすことを必要としない簡便な操作により、指紋センサ１０周辺に対する種々の組み合わせ操作を行うことで、前記アプリに対する各種処理を簡便に行うことができる。
【００６７】
〔ソフトウェアによる実現例〕
制御部５０の制御ブロック（特に、組み合わせ操作判定部５３およびアプリ実行部５４）は、集積回路（ＩＣチップ）等に形成された論理回路（ハードウェア）によって実現してもよいし、ソフトウェアによって実現してもよい。
【００６８】
後者の場合、制御部５０は、各機能を実現するソフトウェアであるプログラムの命令を実行するコンピュータを備えている。このコンピュータは、例えば少なくとも１つのプロセッサ（制御装置）を備えていると共に、前記プログラムを記憶したコンピュータ読み取り可能な少なくとも１つの記録媒体を備えている。そして、前記コンピュータにおいて、前記プロセッサが前記プログラムを前記記録媒体から読み取って実行することにより、本発明の目的が達成される。前記プロセッサとしては、例えばＣＰＵ（Central Processing Unit）を用いることができる。前記記録媒体としては、「一時的でない有形の媒体」、例えば、ＲＯＭ（Read Only Memory）等の他、テープ、ディスク、カード、半導体メモリ、プログラマブルな論理回路などを用いることができる。また、前記プログラムを展開するＲＡＭ（Random Access Memory）などをさらに備えていてもよい。また、前記プログラムは、該プログラムを伝送可能な任意の伝送媒体（通信ネットワークや放送波等）を介して前記コンピュータに供給されてもよい。なお、本発明の一態様は、前記プログラムが電子的な伝送によって具現化された、搬送波に埋め込まれたデータ信号の形態でも実現され得る。
【００６９】
〔まとめ〕
本発明の態様１に係る電子機器（スマートフォン１）は、周縁領域（Ａａ）の少なくとも一部に切欠き部（４１）が形成されている表示部（４０）と、前記表示部に重畳されたタッチパネル（２０）と、前記切欠き部に嵌るように配置された接触センサ（指紋センサ１０）と、制御部（５０）と、を備え、前記制御部（５０）は、所定時間以内に、前記タッチパネル（２０）に対する第１のタッチ操作および前記接触センサ（指紋センサ１０）に対する第２のタッチ操作が検知された場合に、前記第１のタッチ操作に対応する第１の処理、および前記第２のタッチ操作に対応する第２の処理のそれぞれを実行しないとともに、前記第１のタッチ操作および前記第２のタッチ操作の一組で１つの操作となる組み合わせ操作であると判定し、前記組み合わせ操作に対応する第３の処理を実行する。
【００７０】
前記構成によれば、制御部は、電子機器に対する操作が組み合わせ操作であると判定した場合は、第１および第２のタッチ操作に対応する個別の処理を行わずに組み合わせ操作に対応する処理を実行する。すなわち、ユーザは、例えば第１のタッチ操作から第２のタッチ操作までの時間間隔を適宜調整することで、意図通りに組み合わせ操作を行うことができる。
【００７１】
本発明の態様２に係る電子機器（スマートフォン１）は、前記態様１において、前記切欠き部（４１）の内部には、前記接触センサ（指紋センサ１０）の一部が配され、前記タッチパネル（２０）における、前記切欠き部（４１）の両側の表示領域（Ａｌ、Ａｒ）のそれぞれに対応する領域には、第１のスライド操作を検知する側部領域が形成され、前記制御部は、所定時間以内に、２つの前記側部領域の少なくともいずれか一方に対する前記第１のスライド操作、および前記接触センサに対する第２のスライド操作が検知された場合に、前記第１の処理および前記第２の処理のそれぞれを実行しないとともに、前記第３の処理を実行してもよい。
【００７２】
前記構成によれば、２つの側部領域のそれぞれに対応する表示領域と接触センサとが近接し、直列的に配置される。したがって、ユーザは、第１および第２のスライド操作を２つの表示領域と接触センサとの配置方向に沿って連続的に、短時間で行うことができる。そのため、ユーザは組み合わせ操作をスムーズに、かつ確実に行うことができる。
【００７３】
本発明の態様３に係る電子機器（スマートフォン１）は、前記態様２において、前記切欠き部（４１）は、前記周縁領域（Ａａ）のうち、前記電子機器（スマートフォン１）の筐体における短手側の端部に対応する短手側周縁領域（Ａｓ）に形成され、前記接触センサ（指紋センサ１０）は、前記短手側周縁領域（Ａｓ）の延伸方向に沿って延伸していてもよい。
【００７４】
前記構成によれば、ユーザは、例えば片手で電子機器を把持した状態において、連続的な第１および第２のスライド操作を容易に行うことができる。また、接触センサが短手側周縁領域の延伸方向に沿って延伸していることから、ユーザは、短手側周縁領域の延伸方向への第２のスライド操作自体も容易に行うことができる。
【００７５】
本発明の態様４に係る電子機器（スマートフォン１）は、前記態様１において、前記制御部（５０）は、前記第１のタッチ操作と前記第２のタッチ操作とが同時に検知された場合に、前記第１の処理および前記第２の処理のそれぞれを実行しないとともに、前記第３の処理を実行してもよい。
【００７６】
前記構成によれば、１回のタッチ操作で、第３の処理をユーザの意図通りに実行させることができる。そのため、ユーザは、簡易なタッチ操作で素早く組み合わせ操作を行うことができる。また、電子機器がより多様な組み合わせ操作を検知することができるため、より多様な処理を制御部５０に行わせることができる。
【００７７】
本発明の態様５に係る電子機器（スマートフォン１）は、前記態様１から４のいずれかにおいて、前記接触センサ（指紋センサ１０）が、指紋センサ（１０）であってもよい。
【００７８】
前記構成によれば、電子機器は、接触センサとは別に設けられる指紋センサを必要とせず、ユーザの指紋を検出することができる。そのため、電子機器の構造を単純化できる。
【００７９】
本発明の態様６に係る電子機器（スマートフォン１）は、前記態様１から５のいずれかにおいて、前記制御部（５０）は、前記第１のタッチ操作または前記第２のタッチ操作のいずれか一方が検知された後、当該一方のタッチ操作の検知時から前記所定時間が経過した場合に、検知されたタッチ操作に対応する、前記第１の処理または前記第２の処理のいずれか一方を実行してもよい。
【００８０】
前記構成によれば、制御部は、組み合わせ操作が検知されなかった場合に、第１または第２のタッチ操作に対応する個別の処理を実行する。そのため、ユーザは、例えば第１のタッチ操作から第２のタッチ操作までの時間間隔を適宜調整することで、組み合わせ操作と個別のタッチ操作とを意図的に使い分けることができる。
【００８１】
本発明の態様７に係る制御装置（制御部５０）は、周縁領域（Ａａ）の少なくとも一部に切欠き部（４１）が形成されている表示部（４０）と、前記表示部（４０）に重畳されたタッチパネル（２０）と、前記切欠き部（４１）に嵌るように配置された接触センサ（指紋センサ１０）と、を備える電子機器（スマートフォン１）を制御するための制御装置（５０）であって、前記制御装置（制御部５０）は、所定時間以内に、前記タッチパネル（２０）に対する第１のタッチ操作および前記接触センサ（１０）に対する第２のタッチ操作が検知された場合に、前記第１のタッチ操作に対応する第１の処理、および前記第２のタッチ操作に対応する第２の処理のそれぞれを実行しないとともに、前記第１のタッチ操作および前記第２のタッチ操作の一組で１つの操作となる組み合わせ操作であると判定し、前記組み合わせ操作に対応する第３の処理を実行する処理部（組み合わせ操作判定部５３、アプリ実行部５４）を備えている。
【００８２】
本発明の態様８に係る制御方法は、周縁領域（Ａａ）の少なくとも一部に切欠き部（４１）が形成されている表示部（４０）と、前記表示部（４０）に重畳されたタッチパネル（２０）と、前記切欠き部（４１）に嵌るように配置された接触センサ（指紋センサ１０）と、を備える電子機器（スマートフォン１）を制御するための制御方法であって、所定時間以内に、前記タッチパネル（２０）に対する第１のタッチ操作および前記接触センサ（指紋センサ１０）に対する第２のタッチ操作が検知された場合に、前記第１のタッチ操作に対応する第１の処理、および前記第２のタッチ操作に対応する第２の処理のそれぞれを実行しないとともに、前記第１のタッチ操作および前記第２のタッチ操作の一組で１つの操作となる組み合わせ操作であると判定し、前記組み合わせ操作に対応する第３の処理を実行する処理ステップを含んでいる。
【００８３】
本発明の各態様に係る制御部（５０）は、コンピュータによって実現してもよく、この場合には、コンピュータを制御部（５０）が備える各部（ソフトウェア要素）として動作させることにより制御部５０をコンピュータにて実現させる制御装置の制御プログラム、およびそれを記録したコンピュータ読み取り可能な記録媒体も、本発明の範疇に入る。
【００８４】
〔付記事項〕
また、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８５】
１  スマートフォン
１０  指紋センサ
２０  タッチパネル
３０  記憶部
４０  表示部
４１  切欠き部
５０  制御部（制御装置）
５１  指紋センサ操作検出部
５２  タッチパネル操作検出部
５３  組み合わせ操作判定部（処理部）
５４  アプリ実行部（処理部）
５５  表示制御部
Ａａ  周縁領域
Ａｓ  短手側周縁領域（表示部の一部）
Ａｌ、Ａｒ  表示領域
【図１】
2020057218.tif 000003
【図２】
2020057218.tif 000004
【図３】
2020057218.tif 000005
【図４】
2020057218.tif 000006